(57)【要約】【課題】  充分な除電効果を実現しつつ、噴射する圧縮空気の清浄度を確保する。【解決手段】  エアガン型除電・除塵装置は、空気イオンを発生する放電電極と、前記放電電極を収納するケーシングであって前記空気イオン放出する放出部が設けられたケーシングと、前記放出部に設けられ圧縮空気を噴射するノズルと、前記ケーシングに外接する形で上または左または右または後側にフィルターユニットとを備え、前記ケーシング内では、前記放電電極は前記圧縮空気の流路から隔離される。【選択図】図１
2019016441.tif 000002
【特許請求の範囲】
【請求項１】
空気イオンを発生する放電電極が、圧縮空気の流路から独立していることを特徴とするエアガン型除電・除塵装置。
【請求項２】
請求項１記載のエアガン型除電・除塵装置において、圧縮空気流路の最後尾に異物をろ過するフィルターユニットを有することを特徴とするエアガン型除電・除塵装置。
【請求項３】
請求項２記載のエアガン型除電・除塵装置において、空気イオン（イオン）は主として静電気力により放射されることを特徴とするエアガン型除電・除塵装置。
【請求項４】
請求項１ないし３のいずれかに記載のエアガン型除電・除塵装置において、前記放電電極を収納するケーシングをさらに備え、前記フィルターユニットは前記ケーシングの上または下または左または右または後側に配置されることを特徴とするエアガン型除電・除塵装置。
【請求項５】
請求項４記載のエアガン型除電・除塵装置において、前記フィルターユニットは前記ケーシングに外接していることを特徴とするエアガン型除電・除塵装置。
【請求項６】
請求項５記載のエアガン型除電・除塵装置において、フィルターユニットをエアホースでバイパスすることにより、フィルターなしでも動作できることを特徴とするエアガン型除電・除塵装置
【請求項７】
空気イオンを発生する放電電極と、前記放電電極を収納するケーシングであって前記空気イオン放出する放出部が設けられたケーシングと、前記放出部に設けられ圧縮空気を噴射するノズルと、前記ケーシングに外接する形で上または左または右または後側にフィルターユニットとを備え、前記ケーシング内では、前記放電電極は前記圧縮空気の流路から隔離されているエアガン型除電・除塵装置。
【発明の詳細な説明】
【技術分野】
【０００１】
本発明は、対象物の静電気を除去しつつ、付着している異物を除去するエアガン型除電・除塵装置に関する。
【背景技術】
【０００２】
図４はエアガン型除電・除塵装置の従来例１を示す。このエアガン型除電・除塵装置２０００はフィルターユニット２５００でろ過した圧縮空気Ａを、ケーシング２１００の先端に設けられた放出部２１４０から噴射し、同時に、放出部２１４０の内部の放電電極２４００から空気イオンを発生し、放出部２１４０から放出する。そして、このような従来のエアガン型除電・除塵装置２０００は多くの異物を発する。
例えば放電電極には高電圧が印加されるため、集塵作用があり、図５に示すように、放電電極２４００やそのリード線２４１０に、周囲の異物Ｄが集積し、放電電極がコロナ放電する際に、空気中の窒素と酸素が反応してＮＯｘが生じ、ＮＯｘが空気中の水蒸気と反応して、硝酸アンモニュウムの結晶（異物）Ｓが析出する。これらの異物ＤやＳは、図６に示すように圧縮空気の気流Ａによって吹き飛ばされ、イオンＩと共に外部に放出される。
また図示しないが、エアを導通・遮断するエアバルブ２２００から出る潤滑用のオイルや摺動時の異物も出てくる。
以上のようにエアガン型除電・除塵装置２０００自身が出す異物ＤやＳ、オイル、摺動時の異物をそのまま外部に放射していた。
【０００３】
図７は従来例１の問題点を解決するための従来例２を示す。このエアガン型除電・除塵装置２０００は、放出部２１４０に近接してフィルターユニット２５００を設け、圧縮空気Ａの流路の最後部で異物Ｄをろ過している。このように出口にフィルターユニット２５００を設けると、放電電極２４００で発生したイオンＩがフィルターユニット２５００を通過できないため、肝心なイオンＩが消えてしまい，除電機能を果たせなくなる。
また放出部２１４０の先端にフィルターユニット２５００を設けた場合、放出部２１４０の先端側の突出サイズが大きくなり、作業者が該装置を振り回して除電・除塵作業をする時に対象物にぶつけて傷を付けてしまう問題もある。
【０００４】
そこで図８に示すように、フィルターユニット２５００をケーシング２１００の上面に装着して、放出部２１４０の先端方向の突出サイズを抑制することが考えられるが、これでもやはりイオンＩがフィルターユニット２５００を通過できないため、除電機能が失われてしまう。
【０００５】
すなわち、従来は、異物を含まないクリーンエアを吐出するエアガン型除電・除塵装置を実現できず、クリーニングしたい対象物に異物を吹きつけて付着させる可能性があった。
【発明の概要】
【発明が解決しようとする課題】
【０００６】
本発明はこのような従来の問題点を解消すべく創案されたもので、充分な除電効果を実現しつつ、噴射する圧縮空気の清浄度を確保することを目的とする。
【課題を解決するための手段】
【０００７】
請求項１記載のエアガン型除電・除塵装置は、空気イオンを発生する放電電極と、圧縮空気の流路とが独立している。これによって、放電電極に付着した異物が、圧縮空気の空気流によって排出されることがない。
【０００８】
請求項２記載のエアガン型除電・除塵装置は、請求項１記載のエアガン型除電・除塵装置において、圧縮空気流路の最後尾に異物をろ過するフィルターユニットを有する。これによって、エアガン型除電・除塵装置自体から生じた異物を含め、完全に異物を除去し得る。。
【０００９】
請求項３記載のエアガン型除電・除塵装置は、請求項２記載のエアガン型除電・除塵装置において、空気イオン（イオン）は主として静電気力により放射される。これによって、別段のイオン送給手段は不要であり、無風状態でイオン放射し得る。
【００１０】
請求項４記載のエアガン型除電・除塵装置は、請求項１ないし３のいずれかに記載のエアガン型除電・除塵装置において、前記放電電極を収納するケーシングをさらに備え、前記フィルターユニットは前記ケーシングの上または下または左または右または後側に配置される。これによって、エアガン型除電・除塵装置は前方への突出サイズが抑制され、作業性が高められる。
【００１１】
請求項５記載のエアガン型除電・除塵装置は、請求項４記載のエアガン型除電・除塵装置において、前記フィルターユニットは前記ケーシングに外接している。これによってフィルターユニットのメンテナンスが容易になる。
【００１２】
請求項６記載のエアガン型除電・除塵装置は、請求項５記載のエアガン型除電・除塵装置において、フィルターユニットをエアホースでバイパスする。これによってフィルターなしでも動作可能である。
【００１３】
請求項７記載のエアガン型除電・除塵装置は、空気イオンを発生する放電電極と、前記放電電極を収納するケーシングであって前記空気イオンを放出する放出部が設けられたケーシングと、前記放出部に設けられ圧縮空気を噴射するノズルと、前記ケーシングに外接する形で上または左または右または後側にフィルターユニットとを備え、前記ケーシング内では、前記放電電極は前記圧縮空気の流路から隔離されている。これによって、放電電極に付着した異物が、圧縮空気の空気流によって放出されることがない。
【発明の効果】
【００１４】
本発明によれば、充分な除電効果を実現しつつ、噴射する圧縮空気の清浄度を確保し得る。
【図面の簡単な説明】
【００１５】
【図１】本発明に係るエアガン型除電・除塵装置の実施例１を示す縦断面図である。
【図２】図１の放電電極を示す拡大図である。
【図３】本発明に係るエアガン型除電・除塵装置の実施例２を示す縦断面図である。
【図４】エアガン型除電・除塵装置の従来例１を示す縦断面図である。
【図５】図４の放電電極を示す拡大図である。
【図６】図５の放電電極における気流の影響を示す拡大図である。
【図７】エアガン型除電・除塵装置の従来例２を示す縦断面図である。
【図８】エアガン型除電・除塵装置の従来例３を示す縦断面図である。
【発明を実施するための形態】
【実施例】
【００１６】
次に図１、図２を参照して、実施例１を説明する。
図１に示すように、エアガン型除電・除塵装置１０００は、把持部１１１０と本体１１２０とを有するケーシング１１００を備え、本体１１２０の先端には放出部１１４０が設けられている。本体１１２０内には、空気イオンを発生する放電電極１４００と、放電電極１４００にリード線１４１０を介して電圧を印加する電気部１３００と、電気部１３００に給電する電源１８００が収納されている。本体１１２０の後端には、後方から開閉可能な電源収納部１１３０が設けられ、電源１８００は電源収納部１１３０内に収納されている。
【００１７】
把持部１１１０にはエアバルブ１２００および、エアバルブ１２００に圧縮空気Ａを供給する給気管路１２１０が収納され、給気管路１２１０は外部のエアホース１２３０を介して圧縮空気源（図示省略）に接続されている。把持部１１１０の前面には、前後回転可能なレバー１７００が、上端で枢支され、レバー１７００を後方に押し込み回転させることによって、エアバルブ１２００を開放し得る。また、レバー１７００を前方に開放することによって、エアバルブ１２００は閉止される。
【００１８】
本体１１２０の前端には放出部１１４０が設けられ、放出部１１４０の中央には、エアバルブ１２００に接続された継手１６００が設けられ、継手１６００の周辺に、本体１１２０内において放電電極１４００で生成された空気イオンＩを放出するための開口１１５０が設けられている。
【００１９】
継手１６００には、圧縮空気Ａを噴出するノズル１６１０と、エアバルブ１２００に送気管路１２２０を介して一端が接続された流入路１６３０とが設けられている。ケーシング１１００の上面にはフィルターユニット１５００が装着され、流入路１６３０の他端は給気管路１５１０を介してフィルターユニット１５００に接続されている。継手１６００には、ノズル１６１０に連続した送出路１６２０が形成され、送出路１６２０は送気管路１５２０を介して、フィルターユニット１５００に接続されている。
【００２０】
レバー１７００によってエアバルブ１２００を開放すると、圧縮空気Ａは送気管路１２２０、継手１６００、給気管路１５１０を経てフィルターユニット１５００に送給されて清浄化され、送気管路１５２０、送出路１６２０を経てノズル１６１０から噴出する。すなわち、ノズル１６１０から噴出する圧縮空気Ａは充分に清浄化される。
そして、ケーシング１１００内においては、圧縮空気Ａは、給気管路１２１０、エアバルブ１２００、送気管路１２２０、継手１６００の内部を通過するので、空気イオンＩからは隔離されているので、放電電極１４００やリード線１４１０に付着した異物ＤやＳ（図２）に影響を与えることはない。図２では、放電電極１４００、リード線１４１０の周囲が無風状態であることを示すために、図６の気流に対応した破線を表示している。
【００２１】
フィルターユニット１５００は、エアホース１２３０から流入した異物Ｄだけでなく、エアバルブ１２００に起因した異物も除去し、ノズル１６１０から噴出する圧縮空気Ａを完全に清浄化する。
【００２２】
放電電極１４００で発生した空気イオンＩは主として静電気力により、開口１１５０から放射され、別段のイオン送給手段は不要である。すなわち、無風状態でイオン放射でき、放電電極１４００からの異物放出が防止される。
【００２３】
フィルターユニット１５００は、本体１１２０の上面に外接して装着されているので、本体１１２０の前方に突出することはなく、作業性が損なわれることはない。また該装置を振り回しても対象物に当てて傷つける事故を防止し得る。さらに、フィルターユニット１５００のメンテナンスが容易である。
【００２４】
（実施例２）
次に図３を参照して、実施例２を説明する。なお、図中、実施例１と同一もしくは相当部分には同一符号を付し、説明を省略する。
【００２５】
図３において、エアガン型除電・除塵装置１０００は、実施例１におけるフィルターユニット１５００、給気管路１５１０、送気管路１５２０を省略し、継手１６００の流入路１６３０、送出路１６２０をエアホース１６４０でバイパスしている。
本実施例は、フィルターユニット１５００を省略したことによって、フィルターユニット１５００での圧損がなくなり、圧縮空気Ａの吐出量を増大、除塵効果を高め得る。
なお、エアホース１２３０から供給される圧縮空気が充分に清浄であり、かつエアバルブ１２００も充分清浄なときは、ノズル１６１０から噴出される圧縮空気Ａの清浄度を保証できる。
【符号の説明】
【００２６】
１０００、２０００  エアガン型除電・除塵装置
１１００、２１００  ケーシング
１１１０  把持部
１１２０  本体
１１３０  電源収納部
１１４０、２１４０  放出部
１１５０  開口
１２００  エアバルブ
１２１０  給気管路
１２２０  送気管路
１２３０  エアホース
１３００  電気部
１３１０  リード線
１４００、２４００  放電電極
１４１０、２４１０  リード線
１５００、２５００  フィルターユニット
１５１０  給気管路
１５２０  送気管路
１６００  継手
１６１０  ノズル
１６２０  送出路
１６３０  流入路
１６４０  エアホース
１７００  レバー
１８００  電源
Ａ  圧縮空気
Ｄ  異物
Ｓ  硝酸アンモニウム
Ｉ  イオン
【図１】
2019016441.tif 000003
【図２】
2019016441.tif 000004
【図３】
2019016441.tif 000005
【図４】
2019016441.tif 000006
【図５】
2019016441.tif 000007
【図６】
2019016441.tif 000008
【図７】
2019016441.tif 000009
【図８】
2019016441.tif 000010